(57)【要約】【課題】コストアップを招くことなく色収差に起因するデフォーカス量の誤差を補正して、高精度な焦点検出装置を提供することである。【解決手段】撮影レンズ１１を通過した対の光束が形成する対の像の相対間隔を検出し、上記相対間隔からデフォーカス量を検出するカメラに於いて、ＡＦセンサユニット７１内の焦点検出光学系１０１により、撮影画面内に設けられた焦点検出エリアのデフォーカス量が検出される。また、Ｂμｃｏｍ８０に於いて、表示用撮像素子６１の撮像データより上記焦点検出エリアの色情報が取得され、上記デフォーカス量に含まれる上記焦点検出光学系１０１の色収差誤差が、上記色情報に基づいて補正される。【選択図】      図３
2007156249.tif 000002
【特許請求の範囲】
【請求項１】
撮影レンズを通過した被写体光束より撮像データを取得する第１の撮像手段と、上記第１の撮像手段の光路に対して進退可能であり、撮影光路内に於いては被写体光束を反射させる可動ミラーと、上記可動ミラーによって反射された被写体光束より撮像データを取得する第２の撮像手段と、上記第１若しくは第２の撮像手段により取得された像データを表示可能な表示手段と、を有するカメラに適用され、上記撮影レンズを通過した対の光束が形成する対の像の相対間隔を検出し、上記相対間隔からデフォーカス量を検出する焦点検出装置に於いて、
撮影画面内に焦点検出エリアを有し、該焦点検出エリアのデフォーカス量を検出する第１の焦点検出手段と、
上記第２の撮像手段の撮像データより、上記焦点検出エリアの色情報を取得する第１の色情報取得手段と、
上記デフォーカス量に含まれる上記第１の焦点検出手段の色収差誤差を、上記色情報に基づいて補正する第１の色収差補正手段と、
を具備することを特徴とする焦点検出装置。
【請求項２】
撮影画面内に複数の焦点検出エリアを有し、複数の上記焦点検出エリアから特定焦点検出エリアを選択するエリア選択手段と、
上記特定焦点検出エリアの上記デフォーカス量を検出する第２の焦点検出手段と、
上記第２の撮像手段の撮像データより、上記特定焦点検出エリアの色情報を取得する第２の色情報取得手段と、
上記デフォーカス量に含まれる上記第２の焦点検出手段の色収差誤差を、上記色情報に基づいて補正する第２の色収差補正手段と、
を更に具備することを特徴とする請求項１に記載の焦点検出装置。
【請求項３】
撮影画面内に複数の焦点検出エリアを有し、上記複数の焦点検出エリアのデフォーカス量を検出する複数の第２の焦点検出手段と、
上記第２の撮像手段の撮像データより、上記複数の焦点検出エリアに於ける色情報を取得する第２の色情報取得手段と、
上記複数のデフォーカス量に含まれる上記複数の第２の焦点検出手段の色収差誤差を、上記複数の焦点検出エリアにそれぞれ対応する色情報に基づいて補正する第２の色収差補正手段と、
上記第２の色収差補正手段によって補正されたデフォーカス量に基づいて、複数の上記焦点検出エリアから特定焦点検出エリアを選択するエリア選択手段と、
を更に具備することを特徴とする請求項１に記載の焦点検出装置。
【請求項４】
撮影レンズを通過した被写体光束より撮像データを取得する第１の撮像手段と、
上記第１の撮像手段の光路に対して進退可能であり、撮影光路内に於いては被写体光束を反射させる可動ミラーと、
上記可動ミラーによって反射された被写体光束より撮像データを取得する第２の撮像手段と、
撮影画面内に焦点検出エリアを有し、該焦点検出エリアのデフォーカス量を検出する第１の焦点検出手段と、
上記第２撮像手段の撮像データより、上記焦点検出エリアの色情報を取得する第１の色情報取得手段と、
上記デフォーカス量に含まれる上記第１の焦点検出手段の色収差誤差を、上記色情報に基づいて補正する第１の色収差補正手段と、
を具備することを特徴とする焦点検出装置。
【請求項５】
上記第１の焦点検出手段は、上記撮影レンズを通過した対の光束が形成する対の像の相対間隔を検出し、上記相対間隔からデフォーカス量を検出することを特徴とする請求項４に記載の焦点検出装置。
【請求項６】
撮影画面内に複数の焦点検出エリアを有し、複数の上記焦点検出エリアから特定焦点検出エリアを選択するエリア選択手段と、
上記特定焦点検出エリアの上記デフォーカス量を検出する第２の焦点検出手段と、
上記第２の撮像手段の撮像データより、上記特定焦点検出エリアの色情報を取得する第２の色情報取得手段と、
上記デフォーカス量に含まれる上記第２の焦点検出手段の色収差誤差を、上記色情報に基づいて補正する第２の色収差補正手段と、
を更に具備することを特徴とする請求項５に記載の焦点検出装置。
【請求項７】
撮影画面内に複数の焦点検出エリアを有し、上記複数の焦点検出エリアのデフォーカス量を検出する第２の焦点検出手段と、
上記第２の撮像手段の撮像データより、上記複数の焦点検出エリアに於ける色情報を取得する第２の色情報取得手段と、
上記複数のデフォーカス量に含まれる上記複数の第２の焦点検出手段の色収差誤差を、上記複数の焦点検出エリアにそれぞれ対応する色情報に基づいて補正する第２の色収差補正手段と、
上記第２の色収差補正手段によって補正されたデフォーカス量に基づいて、複数の上記焦点検出エリアから特定焦点検出エリアを選択するエリア選択手段と、
を更に具備することを特徴とする請求項５に記載の焦点検出装置。
【請求項８】
撮影レンズを通過した被写体光束より撮像データを取得する撮像手段と、
撮影画面内に焦点検出エリアを有し、該焦点検出エリアのデフォーカス量を検出する第１の焦点検出手段と、
上記撮像手段の撮像データより、上記焦点検出エリアの色情報を取得する第１の色情報取得手段と、
上記デフォーカス量に含まれる上記第１の焦点検出手段の色収差誤差を、上記色情報に基づいて補正する第１の色収差補正手段と、
を具備することを特徴とする焦点検出装置。
【請求項９】
上記第１の焦点検出手段は、上記撮影レンズを通過した対の光束が形成する対の像の相対間隔を検出し、上記相対間隔からデフォーカス量を検出することを特徴とする請求項８に記載の焦点検出装置。
【請求項１０】
撮影画面内に複数の焦点検出エリアを有し、複数の上記焦点検出エリアから特定焦点検出エリアを選択するエリア選択手段と、
上記特定焦点検出エリアの上記デフォーカス量を検出する第２の焦点検出手段と、
上記第２の撮像手段の撮像データより、上記特定焦点検出エリアの色情報を取得する第２の色情報取得手段と、
上記デフォーカス量に含まれる上記第２の焦点検出手段の色収差誤差を、上記色情報に基づいて補正する第２の色収差補正手段と、
を更に具備することを特徴とする請求項９に記載の焦点検出装置。
【請求項１１】
撮影画面内に複数の焦点検出エリアを有し、上記複数の焦点検出エリアのデフォーカス量を検出する第２の焦点検出手段と、
上記第２の撮像手段の撮像データより、上記複数の焦点検出エリアに於ける色情報を取得する第２の色情報取得手段と、
上記複数のデフォーカス量に含まれる上記複数の第２の焦点検出手段の色収差誤差を、上記複数の焦点検出エリアにそれぞれ対応する色情報に基づいて補正する第２の色収差補正手段と、
上記第２の色収差補正手段によって補正されたデフォーカス量に基づいて、複数の上記焦点検出エリアから特定焦点検出エリアを選択するエリア選択手段と、
を更に具備することを特徴とする請求項９に記載の焦点検出装置。
【発明の詳細な説明】
【技術分野】
【０００１】
本発明はカメラの焦点検出装置に於いて、特に焦点検出手段の色収差を補正する焦点検出装置に関するものである。
【背景技術】
【０００２】
従来より、撮影レンズ等の撮影光学系により結像される被写体像を撮像素子によって光電変換し、これにより得られた画像信号に基づいて液晶モニタ等の画像表示装置に表示するデジタルカメラが一般的に知られている。こうした被写体像を表示するカメラとしては、ファインダ光学系内にハーフミラーを配置し、ライブビュー表示用の撮像素子に被写体光束を導くカメラが知られている（例えば、特許文献１参照）。
【０００３】
また、ＴＴＬ位相差検出方式を採用する焦点検出装置では、被写体光の波長成分に応じて色収差が発生し、合焦位置の検出精度が低下することが知られている。特に、撮影する被写体が赤色や青色の場合や、被写体を照明する光源の色温度が高い場合、測距用補助光としてカメラから近赤外光を照射する場合には、色収差の影響が現れやすい。そのため、焦点検出装置は、この色収差が極力小さくなるように設計が行われる。
【０００４】
しかしながら、近年では、特にデジタルカメラによる撮影の場合には、撮影画像をモニタ上で拡大表示することが容易に行えることから、色収差による合焦位置の検出誤差がユーザに比較的認識されやすい状況となっている。そのため、焦点検出装置の合焦位置の検出精度は、より高い水準が要求されており、色収差による合焦位置の検出誤差を補正することが要望されている。
【０００５】
カメラの焦点検出装置の色収差補正に関する先行技術は、下記特許文献２が公知である。下記特許文献２には、露出制御用の測光装置であって、且つ色情報も取得する機能を有する分割測光素子の測光出力を用いて被写体の色成分を抽出し、色収差による検出誤差を補正する技術が開示されている。
【特許文献１】特開２０００−１６５７３０号公報
【特許文献２】特開２００５−５５７６８号公報
【発明の開示】
【発明が解決しようとする課題】
【０００６】
しかしながら、上記特許文献１では以下の問題が生じる。すなわち、ＴＴＬ位相差検出方式の焦点検出装置を搭載する場合、色収差による焦点検出誤差を補正することができないので、ピントが甘い画像を表示してしまうこととなる。
【０００７】
そして、上記特許文献２の測光装置を適用すると、一般的な色情報取得機能を有さない測光装置に比較して非常に高価であるため、カメラのコストアップを招いてしまうという問題がある。
【０００８】
本発明は、上記実情に鑑みてなされたものであり、その目的は、コストアップを招くことなく色収差に起因するデフォーカス量の誤差を補正して、高精度な焦点検出装置を提供することである。
【課題を解決するための手段】
【０００９】
すなわち請求項１に記載の発明は、撮影レンズを通過した被写体光束より撮像データを取得する第１の撮像手段と、上記第１の撮像手段の光路に対して進退可能であり、撮影光路内に於いては被写体光束を反射させる可動ミラーと、上記可動ミラーによって反射された被写体光束より撮像データを取得する第２の撮像手段と、上記第１若しくは第２の撮像手段により取得された像データを表示可能な表示手段と、を有するカメラに適用され、上記撮影レンズを通過した対の光束が形成する対の像の相対間隔を検出し、上記相対間隔からデフォーカス量を検出する焦点検出装置に於いて、撮影画面内に焦点検出エリアを有し、該焦点検出エリアのデフォーカス量を検出する第１の焦点検出手段と、上記第２の撮像手段の撮像データより、上記焦点検出エリアの色情報を取得する第１の色情報取得手段と、上記デフォーカス量に含まれる上記第１の焦点検出手段の色収差誤差を、上記色情報に基づいて補正する第１の色収差補正手段と、を具備することを特徴とする。
【００１０】
請求項２に記載の発明は、請求項１に記載の発明に於いて、撮影画面内に複数の焦点検出エリアを有し、複数の上記焦点検出エリアから特定焦点検出エリアを選択するエリア選択手段と、上記特定焦点検出エリアの上記デフォーカス量を検出する第２の焦点検出手段と、上記第２の撮像手段の撮像データより、上記特定焦点検出エリアの色情報を取得する第２の色情報取得手段と、上記デフォーカス量に含まれる上記第２の焦点検出手段の色収差誤差を、上記色情報に基づいて補正する第２の色収差補正手段と、を更に具備することを特徴とする。
【００１１】
請求項３に記載の発明は、請求項１に記載の発明に於いて、撮影画面内に複数の焦点検出エリアを有し、上記複数の焦点検出エリアのデフォーカス量を検出する複数の第２の焦点検出手段と、上記第２の撮像手段の撮像データより、上記複数の焦点検出エリアに於ける色情報を取得する第２の色情報取得手段と、上記複数のデフォーカス量に含まれる上記複数の第２の焦点検出手段の色収差誤差を、上記複数の焦点検出エリアにそれぞれ対応する色情報に基づいて補正する第２の色収差補正手段と、上記第２の色収差補正手段によって補正されたデフォーカス量に基づいて、複数の上記焦点検出エリアから特定焦点検出エリアを選択するエリア選択手段と、を更に具備することを特徴とする。
【００１２】
請求項４に記載の発明は、撮影レンズを通過した被写体光束より撮像データを取得する第１の撮像手段と、上記第１の撮像手段の光路に対して進退可能であり、撮影光路内に於いては被写体光束を反射させる可動ミラーと、上記可動ミラーによって反射された被写体光束より撮像データを取得する第２の撮像手段と、撮影画面内に焦点検出エリアを有し、該焦点検出エリアのデフォーカス量を検出する第１の焦点検出手段と、上記第２撮像手段の撮像データより、上記焦点検出エリアの色情報を取得する第１の色情報取得手段と、上記デフォーカス量に含まれる上記第１の焦点検出手段の色収差誤差を、上記色情報に基づいて補正する第１の色収差補正手段と、を具備することを特徴とする。
【００１３】
請求項５に記載の発明は、請求項４に記載の発明に於いて、上記第１の焦点検出手段は、上記撮影レンズを通過した対の光束が形成する対の像の相対間隔を検出し、上記相対間隔からデフォーカス量を検出することを特徴とする。
【００１４】
請求項６に記載の発明は、請求項５に記載の発明に於いて、撮影画面内に複数の焦点検出エリアを有し、複数の上記焦点検出エリアから特定焦点検出エリアを選択するエリア選択手段と、上記特定焦点検出エリアの上記デフォーカス量を検出する第２の焦点検出手段と、上記第２の撮像手段の撮像データより、上記特定焦点検出エリアの色情報を取得する第２の色情報取得手段と、上記デフォーカス量に含まれる上記第２の焦点検出手段の色収差誤差を、上記色情報に基づいて補正する第２の色収差補正手段と、を更に具備することを特徴とする。
【００１５】
請求項７に記載の発明は、請求項５に記載の発明に於いて、撮影画面内に複数の焦点検出エリアを有し、上記複数の焦点検出エリアのデフォーカス量を検出する第２の焦点検出手段と、上記第２の撮像手段の撮像データより、上記複数の焦点検出エリアに於ける色情報を取得する第２の色情報取得手段と、上記複数のデフォーカス量に含まれる上記複数の第２の焦点検出手段の色収差誤差を、上記複数の焦点検出エリアにそれぞれ対応する色情報に基づいて補正する第２の色収差補正手段と、上記第２の色収差補正手段によって補正されたデフォーカス量に基づいて、複数の上記焦点検出エリアから特定焦点検出エリアを選択するエリア選択手段と、を更に具備することを特徴とする。
【００１６】
請求項８に記載の発明は、撮影レンズを通過した被写体光束より撮像データを取得する撮像手段と、撮影画面内に焦点検出エリアを有し、該焦点検出エリアのデフォーカス量を検出する第１の焦点検出手段と、上記撮像手段の撮像データより、上記焦点検出エリアの色情報を取得する第１の色情報取得手段と、上記デフォーカス量に含まれる上記第１の焦点検出手段の色収差誤差を、上記色情報に基づいて補正する第１の色収差補正手段と、を具備することを特徴とする。
【００１７】
請求項９に記載の発明は、請求項８に記載の発明に於いて、上記第１の焦点検出手段は、上記撮影レンズを通過した対の光束が形成する対の像の相対間隔を検出し、上記相対間隔からデフォーカス量を検出することを特徴とする。
【００１８】
請求項１０に記載の発明は、請求項９に記載の発明に於いて、撮影画面内に複数の焦点検出エリアを有し、複数の上記焦点検出エリアから特定焦点検出エリアを選択するエリア選択手段と、上記特定焦点検出エリアの上記デフォーカス量を検出する第２の焦点検出手段と、上記第２の撮像手段の撮像データより、上記特定焦点検出エリアの色情報を取得する第２の色情報取得手段と、上記デフォーカス量に含まれる上記第２の焦点検出手段の色収差誤差を、上記色情報に基づいて補正する第２の色収差補正手段と、を更に具備することを特徴とする。
【００１９】
請求項１１に記載の発明は、請求項９に記載の発明に於いて、撮影画面内に複数の焦点検出エリアを有し、上記複数の焦点検出エリアのデフォーカス量を検出する第２の焦点検出手段と、上記第２の撮像手段の撮像データより、上記複数の焦点検出エリアに於ける色情報を取得する第２の色情報取得手段と、上記複数のデフォーカス量に含まれる上記複数の第２の焦点検出手段の色収差誤差を、上記複数の焦点検出エリアにそれぞれ対応する色情報に基づいて補正する第２の色収差補正手段と、上記第２の色収差補正手段によって補正されたデフォーカス量に基づいて、複数の上記焦点検出エリアから特定焦点検出エリアを選択するエリア選択手段と、を更に具備することを特徴とする。
【発明の効果】
【００２０】
本発明によれば、ライブビュー画像を表示することが可能なカメラに於いて、コストアップすることなく焦点検出装置の光学系の色収差に起因するデフォーカス量の誤差を補正して焦点検出精度をより向上させることができるので、高精度なピントが得られライブビュー画像の質を向上させることが可能となる。
【発明を実施するための最良の形態】
【００２１】
以下、図面を参照して、本発明の実施形態を説明する。
【００２２】
（第１の実施形態）
図１は、本発明の第１の実施形態を示すもので、本発明の焦点検出装置が適用された一眼レフレックスタイプのデジタルカメラの構成を示す外観斜視図である。
【００２３】
図１に於いて、この一眼レフレックスタイプのデジタルカメラ（以下、カメラと略記する）１は、交換レンズとしてのレンズ鏡筒１０と、カメラ本体３０から主に構成されており、該カメラ本体３０の前面に対して、所望のレンズ鏡筒１０が着脱自在に設定されている。
【００２４】
カメラ本体３０の上面には、レリーズ釦３１と、モードダイヤル３２と、パワースイッチレバー３３と、コントロールダイヤル３４等が設けられている。
【００２５】
レリーズ釦３１は、撮影準備動作及び露光動作を実行させるための釦である。このレリーズ釦３１は、第１レリーズスイッチと第２レリーズスイッチの２段式のスイッチで構成されており、レリーズ釦３１が半押し操作されることによって、第１レリーズスイッチがオンされて測光処理や測距処理などの撮影準備動作が実行される。また、レリーズ釦３１が全押し操作されることによって、第２レリーズスイッチがオンされて露光動作が実行される。
【００２６】
モードダイヤル３２は、撮影時の撮影モードを設定するための操作部材である。このモードダイヤル３２が所定方向に回転操作されることによって、撮影時の撮影モードが設定される。本実施形態に於いては、後述する液晶モニタに表示される画像を、ファインダビューとライブビューとで切り換える機能も有している。パワースイッチレバー３３は、当該カメラ１の電源のオン／オフをするための操作部材である。このパワースイッチレバー３３が回動操作されることにより、当該カメラ１のメイン電源のオン／オフが切り換えられる。
【００２７】
コントロールダイヤル３４は、撮影情報の設定を行うための部材である。このコントロールダイヤル３４が操作されることにより、撮影時に種々の設定が行われる。
【００２８】
ボディユニット３０の背面部には、撮影画像やメニュー等を表示するための液晶モニタ３６と、再生釦３７と、メニュー釦３８と、十字キー４０と、ＯＫ釦４１と、接眼光学系のファインダ４３等が配置されている。
【００２９】
上記再生釦３７は、カメラ１の動作モードを、後述するＦｌａｓｈＲＯＭ８４や記録メディア８５に記録されたＪＰＥＧファイルから画像を再生できる再生モードに切り換えるための釦である。メニュー釦３８は、液晶モニタ３６にメニュー画面を表示させるための釦である。このメニュー画面は、複数の階層構造から成るメニュー項目によって構成されている。ユーザは、所望のメニュー項目を十字キー４０で選択することができ、ＯＫ釦４１で選択した項目を決定することができる。
【００３０】
図２は、本発明の第１の実施形態に於けるカメラのファインダ光学系の構成を示す斜視図である。
【００３１】
ファインダ光学系５０は、レンズ鏡筒内の撮影レンズ１１を通過した被写体からの光束を、上記ファインダ４３を構成する接眼レンズ５７へと導くための複数のミラー、すなわち第１反射ミラー（可動ミラー）５１、第２反射ミラー５２、第３反射ミラー５３、第４反射ミラー５４と、フォーカシングスクリーン（スクリーンマット）５６と、接眼レンズ５７とを有して構成される。
【００３２】
上記第１反射ミラー５１は軸５１ａを中心に図示矢印Ａ方向に回動可能に構成されるもので、その一部が後述するＡＦセンサユニット７１のためにハーフミラーで構成されている。第１反射ミラー５１は、被写体の観察時は図示の如く、撮影レンズ１１から入射された光束を、撮影レンズ１０の光軸に対し略９０°の角度である第２反射ミラー５２の方向、すなわちカメラ本体３０のレンズ鏡筒１０側より見て右方向に反射する。そして、撮像時は、撮影光路より退避されて、被写体からの光束が、第１反射ミラーの後方に配置される撮像素子（図示せず）に導かれるように動作する。
【００３３】
上記第１反射ミラー５１の反射面で反射された光束は、フォーカシングスクリーン５６を介して第２反射ミラー７２に入射する。この第２反射ミラー５２は、上記第１反射ミラー５１からの反射光軸上であって、その反射面が上記第１反射ミラーの反射光軸に対し、所定の角度だけ傾いて配置されている。第２反射ミラー５２に入射された上記第１反射ミラー５１からの反射光束は、該第１反射ミラー５１からの反射光軸に対し略９０°の角度、すなわちカメラ本体３０の上方に向けて反射される。
【００３４】
上記第２反射ミラー５２の反射面で反射された光束は、該第２反射ミラー５２の反射面の反射光軸上であって、その反射面が第２の反射面の反射光軸に対し所定の角度だけ傾いて配置される第３反射ミラー５３に入射される。第３反射ミラー５３に入射された第２反射ミラー５２からの反射光束は、第３反射ミラー５３の反射面にて、上記第２反射ミラー５２の反射面からの反射光軸に対し略９０°の角度であって、上記第１反射ミラー５１の反射面による反射方向と相反する方向に反射される。つまり、第２反射ミラー５２の反射面からの反射光束は、第３反射ミラー５３の反射面にて、カメラ本体３０の左方向に向けて反射される。換言すれば、第１反射ミラー５１の反射面にて反射された光束は、第２、第３反射ミラー５２、５３によって折り返すように導かれ、第３反射ミラー５３の反射面の反射光軸は、上記第１反射ミラー５１の反射面の反射光軸と略平行となって第４反射ミラー５４に向かう。
【００３５】
上記第３反射ミラー５３の反射面で反射された光束は、該第３反射ミラー５３の反射面の反射光軸上であって、その反射面が上記第３反射ミラー５３の反射面の反射光軸に対し所定の角度だけ傾いて配置される第４反射ミラー５４に入射される。そして、第４反射ミラー５４に入射された上記第３反射ミラー５３からの反射光束は、第４反射ミラー５４の反射面にて、上記第３反射ミラー５３からの反射光軸に対し略９０°の角度に反射される。つまり、第３反射ミラー５３の反射面からの反射光束は、第４反射ミラーの反射面の反射光軸上に配置された接眼レンズ５７に入射される。
【００３６】
上記フォーカシングスクリーン５６は、上述したファインダ光学系５０に入射された光束を光学像として結像させるために、該光束を拡散させる拡散面を有するもので、後述する撮影用撮像素子６７の撮像面上と光学的に等価な位置に配置されている。
【００３７】
また、上記第２反射ミラー５２と第４反射ミラー５４は、ハーフミラーで構成されている。第２反射ミラー５２の反射面の裏面側には、被写体の明るさを測定する測光センサ６３と、合焦表示用ＬＥＤ６４が配置されている。この合焦表示用ＬＥＤ６４は、画面の何処に合焦点があるかをスーパーインポーズ表示するためのものである。一方、第４反射ミラー５４の反射面の裏面側には、結像レンズ６０及び表示用撮像素子６１が配設されている。この表示用撮像素子６１は第２の撮像手段であり、フォーカシングスクリーン５６上の像を、結像レンズ６０を介して結像するためのものである。したがって、表示用撮像素子６１に結像された像は反転しているものの、撮影者の目５８が見ている像と同じものとなる。
【００３８】
このように、撮影レンズ１１からの被写体光束は、上述した第１乃至第４反射ミラー５１〜５４によって、その像が正立正像となるように反転されて接眼レンズ５７に導かれる。これにより、接眼レンズ５７（ファインダ４３）を通して、撮影者の眼５８でフォーカシングスクリーン５６上に結像した被写体像が観察可能となる。
【００３９】
尚、本実施形態では、第１反射ミラー５１、第２反射ミラー５２、第３反射ミラー５３及び第４反射ミラー５４は、入射光束に対して略９０°の角度で反射するように配置しているが、これに限られるものではない。
【００４０】
図３は、本発明の第１の実施形態に係るカメラのシステム構成を示すブロック図である。
【００４１】
図３に於いて、上記レンズ鏡筒１０は、上記カメラ本体３０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００４２】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ２０を介して、後述するボディ制御用マイクロコンピュータ８０と電気的に接続がなされ、該ボディ制御用マイクロコンピュータ８０の指令に従って制御される。
【００４３】
一方、カメラ本体３０は、以下のように構成されている。
【００４４】
レンズ鏡筒１０内の撮影レンズ１１、絞り１２を介して入射される図示されない被写体からの光束は、可動ミラーである第１反射ミラー５１で反射され、フォーカシングスクリーン５６、更に上記第１反射ミラー５１と共にファインダ光学系５０を構成する第２乃至第４反射ミラー５２〜５４（図２参照）等を介して、接眼レンズ５７に至る。また、第１反射ミラー５１のハーフミラーの部分を透過した被写体光束の一部は、第１反射ミラー５１とは独立して作動するサブミラー７０で反射されて、自動測距を行うためのＡＦセンサユニット７１に導かれる。尚、図３に於いては、第１反射ミラー５１は別に示されているが、第２乃至第４の反射ミラー等と共にファィンダ光学系５０を構成しているものである。
【００４５】
ここで、図４を参照して、上述したＡＦセンサユニット７１内の焦点検出光学系１０１の詳細について説明する。
【００４６】
図４（ａ）は、ＡＦセンサユニット７１内のＡＦセンサ１０２の光電変換素子Ｐ上に被写体からの光束を導く焦点検出光学系１０１の構成を詳細に示した図である。
【００４７】
図４（ａ）に於いて、第１及び第２の焦点検出手段である焦点検出光学系１０１は、撮影光軸上で、撮影レンズ１１と光電変換素子Ｐとの間に、視野マスクＳ、赤外カットフィルタＲＦ、コンデンサレンズＣ、瞳マスクＫ、セパレータレンズＨ1 及びＨ2 が配置された構成となっている。上記赤外光カットフィルタＲＦは、例えば、７５０ｎｍ以上の波長域の赤外光を除去し、不要な赤外光成分を除去して色収差の悪影響を最小限に抑えるものである。上記瞳マスクＫは、撮影レンズ１１の光軸に対して略対称に配置されて、開口部Ｋ1 及びＫ2 を有している。そして、上記セパレータレンズＨ1 及びＨ2 は、瞳マスクＫの開口部Ｋ1 及びＫ2 に対応してその後方に配置されている。
【００４８】
このような構成に於いて、上記撮影レンズ１１の射出瞳の領域Ｌ1 、Ｌ2 を通過して入射した被写体光束は、視野マスクＳ、赤外カットフィルタＲＦ、コンデンサレンズＣ、瞳マスクＫの開口部Ｋ1 、Ｋ2 及びセパレータレンズＨ1 、Ｈ2 を通り、ＡＦセンサ１０２の光電変換素子Ｐ上に再結像される。上記撮影レンズ１１が合焦、すなわち、結像面Ｇ上に被写体像Ｉが形成される場合には、その被写体像Ｉは、コンデンサレンズＣ及びセパレータレンズＨ1 、Ｈ2 によって光軸Ｏに対して垂直な２次結像面Ｐ（ＡＦセンサ１０２の光電変換素子Ｐ上）に再結像されて、第１像Ｉ1 、第２像Ｉ2 となる。
【００４９】
上記撮影レンズ１１が前ピン、すなわち、結像面Ｇの前方に被写体像Ｆが形成されている場合には、その被写体像Ｆは、互いにより光軸Ｏに近付いた形で光軸Ｏに対して垂直に再結像されて、第１像Ｆ1 、第２像Ｆ2 となる。これに対し、上記撮影レンズ１１が後ピン、すなわち、結像面Ｇの後方に被写体像Ｒが形成されている場合には、その被写体像Ｒは、互いにより光軸Ｏから離れた形で、光軸Ｏに対して垂直に再結像されて、第１像Ｒ1 、第２像Ｒ2 となる。
【００５０】
本実施形態では、これら第１像と第２像の間隔を検出することにより、撮影レンズ１１の焦点状態、すなわちデフォーカス量を、前ピン、後ピンを含めて検出する。具体的には、第１像と第２像の光強度分布を、ＡＦセンサ１０２の被写体像データ出力により求めて両像の間隔を測定する。
【００５１】
ここで、図４（ｂ）を参照して、ＡＦセンサユニット１２の焦点検出光学系１０１及び撮影レンズ１１の色収差がデフォーカス量に与える影響について説明する。
【００５２】
撮影レンズ１１による可視光中の長波長成分（例えば７２０ｎｍ）ｒ2 の結像点は、撮影レンズ１１の有する色収差に起因して予定結像面Ｇよりも後方に移動する。したがって、図４（ｂ）に示されるように、長波長成分反射光を多く含む被写体に対応する像間隔Ｚ2 は、可視光（例えば重心＝５６０ｎｍ）ｒ1 の反射光成分を多く含む被写体に対応する像間隔Ｚ1 より大きくなる。また、焦点検出光学系１０１は入射光の波長に応じて異なる屈折率を有するので、同位置から射出された被写体光であっても、入射光の波長に応じて像間隔は色収差によって同様に変化する。本発明は、このような色収差によるデフォーカス量の誤差を補正するものである。
【００５３】
また、後述する不揮発性メモリ８８には、デフォーカス量Ｄｆと、色収差誤差との対応関係が格納されている。この色収差誤差のデータは、Ｒ、Ｇ、Ｂの各色に対応する３つの値が設定されている。後述するボディ制御用マイクロコンピュータ８０では、ＡＦセンサユニット７１から出力されたＡＦセンサデータが読み込まれ、２像間隔Ｌが算出されて、更にデフォーヵス量Ｄｆが演算される。このデフォーカス量Ｄｆについて、不揮発性メモリ８８のデータが参照されて、Ｒ、Ｇ、Ｂに対応する色収差誤差のデータが取得される。
【００５４】
そして、ボディ制御用マイクロコンピュータ８０では、色収差誤差を含んだデフォーカス量Ｄｆについて、表示用撮像素子６１から取得された色情報と、不揮発性メモリ８８から取得された色収差誤差とに基づいて補正されて、色収差誤差が除去された補正デフォーカス量Ｄｆ′が演算される。例えば、求められた補正値を△Ｄｆとすると、下記の演算が行われる。  
Ｄｆ′＝Ｄｆ＋△Ｄｆ  
そして、ボディ制御用マイクロコンピュータ８０により、Ｌμｃｏｍ１５へ補正デフォーカス量Ｄｆ′が送信される。Ｌμｃｏｍ１５では、補正デフォーカス量Ｄｆ′に基づいてレンズ駆動量データが演算され、レンズ駆動機構１３によって撮影レンズ１１内のフォーカスレンズが駆動される。
【００５５】
図３に戻って、光軸上で上記第１反射ミラー５１の後方には、フォーカルプレーン式のシャッタ６６と、光学系を通過した被写体像を光電変換するための撮像光学系の光電変換素子であり、ＣＣＤ等で構成される撮影用撮像素子（第１の撮像手段）６７が設けられている。つまり、第１反射ミラー５１が撮影光路より退避した場合、撮影レンズ１１及び絞り１２を通った光束は、撮影用撮像素子６７の撮像面上に結像される。
【００５６】
また、上述したように、ファインダ光学系５０には、第２反射ミラー５２の近傍に測光センサ６３及び合焦表示用ＬＥＤ６４が、第４反射ミラー５４の近傍に表示用撮像素子６１が配設されている。この表示用撮像素子６１と上記撮影用撮像素子６７は、インターフェイス回路８１を介して、画像処理を行うための画像処理コントローラ８２に接続されている。そして、この画像処理コントローラ８２には、上述した液晶モニタ３６と、記憶領域として設けられたＳＤＲＡＭ８３、ＦｌａｓｈＭｅｍｏｒｙ８４及び記録メディア８５等が接続されている。これらは、電子撮像機能と共に電子記録表示機能を提供できるように構成されている。
【００５７】
上記記録メディア８５は、図示されないカメラのインターフェイスを介してカメラ本体３０に対し脱着可能な各種のメモリカードや外付けのハードディスクドライブ（ＨＤＤ）等の外部記録媒体である。
【００５８】
上記画像処理コントローラ８２は、測光回路８７を介した測光センサ６３と、ＡＦセンサ駆動回路７２と、ミラー駆動機構７３と、シャッタチャージ機構７５と、シャッタ制御回路７６と、不揮発性メモリ（ＥＥＰＲＯＭ）８８と共に、このカメラ本体３０内の各部を制御するためのボディ制御用マイクロコンピュータ（以下、Ｂμｃｏｍと略記する）８０に接続されている。このＢμｃｏｍ８０は、第１及び第２の色情報取得手段と、第１及び第２の色収差補正手段と、エリア選択手段としての機能を有している。
【００５９】
上記Ｂμｃｏｍ８０には、更に、当該カメラの動作状態を表示出力によって撮影者へ告知するための動作表示用ＬＣＤ９０と、カメラ操作スイッチ（ＳＷ）９１と、電源回路９２を介して電池９３とが接続されている。
【００６０】
尚、上記Ｂμｃｏｍ８０とＬμｃｏｍ１５とは、レンズ鏡筒１０の装着時に於いて、通信コネクタ２０を介して通信可能に電気的接続がなされる。そして、デジタルカメラとしてＬμｃｏｍ１５がＢμｃｏｍ８０に従属的に協働しながら稼動するようになっている。
【００６１】
上記ＡＦセンサ駆動回路７２は上記ＡＦセンサユニット７１を駆動制御するための回路であり、ミラー駆動機構７３は第１反射ミラー５１を駆動制御する機構である。また、シャッタチャージ機構７５は、上記シャッタ６６を構成する図示されない先幕と後幕を駆動するばねをチャージするものである。シャッタ制御回路７６は、上記シャッタ６６の先幕と後幕の動きを制御すると共に、Ｂμｃｏｍ８０との間でシャッタの開閉動作を制御する信号とストロボと同調する信号の授受を行う。また、上記測光回路８７は、測光センサ６３の電気信号に基づいて測光処理する回路である。
【００６２】
不揮発性メモリ８８は、上述したＳＤＲＡＭ８３、ＦｌａｓｈＭｅｍｏｒｙ８４、記録メディア８５以外の記憶領域として、カメラ制御に必要な所定の制御パラメータを記憶する記憶手段であり、Ｂμｃｏｍ８０からアクセス可能に設けられている。
【００６３】
動作表示用ＬＣＤ９０は、当該カメラの動作状態を表示出力によってユーザへ告知するためのものである。上記カメラ操作スイッチ９１は、例えば撮影動作の実行を指示すると共に後述するように第１反射ミラー５１を撮影光路の内外に切り換えるレリーズスイッチ、撮影モードと画像表示モードを切り換えるモード変更スイッチ及びパワースイッチ、更にエリア選択手段としての機能を有する等、当該カメラを操作するために必要な操作釦を含むスイッチ群で構成される。更に、電源回路９２は、電源としての電池９３の電圧を、当該カメラシステムの各回路ユニットが必要とする電圧に変換して供給するために設けられている。
【００６４】
次に、図５及び図６のタイミングチャートを参照して、本第１の実施形態に於けるカメラの基本的な撮影動作について説明する。
【００６５】
図５は、第１の実施形態に於いてライブビューモードのカメラの動作を説明するタイミングチャートであり、図６は第１の実施形態に於いてファインダビューモードのカメラの動作を説明するタイミングチャートである。尚、図５及び図６のタイミングチャートに於いて、ＡＥは自動露出、ＡＦは自動焦点調節、ＥＸＰは本露光、ＭＵ及びＭＤは第１反射ミラー５１のミラー退避及び復帰、ＳＣはシャッタチャージ、Ｅ１は露出情報、Ｐは画像処理、Ｐ１は撮影用撮像素子６７の画像、Ｄ１は表示用撮像素子６１の画像を、それぞれ表している。
【００６６】
先ず、ライブビューモード時の撮影動作について説明する。  
カメラ１のパワースイッチレバー３３が操作されて電源がオンされると、測光センサ６３及びＡＦセンサユニット７１によって、所定間隔でＡＥ及びＡＦのシーケンスが繰り返し実行される。このとき、カメラ１がファインダビューモードに設定されていたとすると、カメラ本体３０の背面部に設けられた液晶モニタ３６には、露出情報が表示される。そして、所定のタイミングでモードダイヤル３２の操作によってライブビューモードに切り換えられると、表示用撮像素子６１が稼働して、撮像された画像の画像処理が行われて、その画像が液晶モニタ３６に表示されるようになる。以降、これらの処理が繰り返される。
【００６７】
そして、レリーズ釦３１が半押しされることによってファーストレリーズスイッチ（１ＲＳＷ）がオンされると、撮影準備動作に入る。すなわち、撮影レンズ１１が駆動されて合焦動作が行われ、合焦範囲内になったならば合焦表示用ＬＥＤ６４が点灯する。そして、この状態でレリーズ釦３１の全押し操作であるセカンドレリーズスイッチ（２ＲＳＷ）がオンになるまで待機する。
【００６８】
ここで、色収差によるデフォーカス量の誤差の補正動作を説明する。
【００６９】
図５のＡＦ（シーケンス）に於いて、Ｂμｃｏｍ８０では、ＡＦセンサユニット７１から出力された像データが読み込まれ、２像間隔Ｌが算出されて、更にデフォーカス量Ｄｆが演算される。このデフォーカス量Ｄｆから、不揮発性メモリ８８のデータが参照されて、Ｒ、Ｇ、Ｂに対応する色収差誤差のデータが取得される。
【００７０】
一方、表示用撮像素子６１の画像が画像処理されてＲ、Ｇ、Ｂに対応する色情報が出力され、Ｂμｃｏｍ８０では、この色情報が取得される（図５に於いて、Ｐ（表示用撮像素子）→ＡＦ（シーケンス）で示される）。この時、ＡＦ（シーケンス）に対してタイミング的に最新の色情報（図５に於いてＰ（表示用撮像素子））が使用されて色収差の補正が行われる。そして、Ｂμｃｏｍ８０では、色収差誤差を含んだデフォーカス量Ｄｆが、表示用撮像素子６１から取得された色情報と、不揮発性メモリ８８から取得された色収差誤差とに基づいて補正されて、色収差誤差が除去された補正デフォーカス量Ｄｆ′が演算される。
【００７１】
次いで、Ｂμｃｏｍ８０からは、Ｌμｃｏｍ１５へ補正デフォーカス量Ｄｆ′が送信される。ここで、Ｌμｃｏｍ１５によって、補正デフォーカス量Ｄｆ′に基づいてレンズ駆動量データが演算されて、レンズ駆動機構１３によって撮影レンズ１１内のフォーカスレンズが駆動される（図５：レンズ駆動（シーケンス））。
【００７２】
ＡＦセンサ７１による撮影画面内の測距エリアに対応する表示用撮像素子６１の撮像領域上の領域は、製造工程に於いて予め調整され対応付けられている。したがって、表示用撮像素子６１の撮像データのうち、測距エリアに対応する部分の画素データに関する色情報のみを取得すればよい。
【００７３】
セカンドレリーズスイッチがオンされたならば、第１反射ミラー５１が撮影光路から退避されて本露光による絞り込みが行われる。同時に、撮影用撮像素子６７内の電荷の消去動作（ＦＬＵＳＨ）が行われ、上記本露光が行われた後に取り込んだ画像のデータ読み込み及び画像処理がなされる。また、本露光終了後は、第１反射ミラー５１が撮影光路内に復帰され、シャッタチャージ機構７５によるシャッタチャージが行われる。一方、液晶モニタ３６には、画像処理が施された撮影用撮像素子６７の画像が、所定期間表示される。その後、所定期間が経過すると、再び表示用撮像素子６１で取り込まれた画像が液晶モニタ３６に表示されるようになる。
【００７４】
こうして、例えば連写により４回、撮影用撮像素子６７による撮影が行われると、その度に液晶モニタ３６に表示される画像が、表示用撮像素子６１の画像から撮影用撮像素子６７の画像に切り替わる。そして、ファースト及びセカンドレリーズスイッチがオフにされると、液晶モニタ３６には表示用撮像素子６１による画像が表示される。
【００７５】
次に、図６のタイミングチャートに基づいて、ファインダビューモード時の撮影動作について説明する。  
先ず、カメラ１のパワースイッチレバー３３が操作されて電源がオンされると、測光センサ６３及びＡＦセンサユニット７１によって、所定間隔でＡＥ及びＡＦのシーケンスが繰り返し実行される。このとき、カメラ本体３０の背面部に設けられた液晶モニタ３６には、露出情報が表示される。そして、所定のタイミングでレリーズ釦３１が半押しされることによってファーストレリーズスイッチがオンされると、撮影準備動作に入る。すなわち、撮影レンズ１１が駆動されて合焦動作が行われ、合焦範囲内になったならば合焦表示用ＬＥＤ６４が点灯する。そして、この状態でレリーズ釦３１の全押しであるセカンドレリーズスイッチ（２ＲＳＷ）がオンになるまで待機する。この撮影準備動作の間は、撮影者は、ファインダ４３を覗いて撮影を行うため、不要な表示はエネルギーの無駄の防止や意識を集中させるために、液晶モニタ３６には何も表示されない。
【００７６】
次いで、セカンドレリーズスイッチがオンされたならば、第１反射ミラー５１が撮影光路から退避されて本露光による絞り込みが行われる。同時に、撮影用撮像素子６７内の電荷を消去する動作が行われ、上記本露光が行われた後に取り込んだ画像のデータ読み込み及び画像処理がなされる。また、本露光終了後は、第１反射ミラー５１が撮影光路内に復帰され、シャッタチャージ機構７５によるシャッタチャージが行われる。一方、液晶モニタ３６には、画像処理が施された撮影用撮像素子６７の画像が、所定期間表示される。その後、次の撮影を行うべく準備動作の間は液晶モニタ３６が消灯され、画像処理後に再び撮影用撮像素子６７の画像が液晶モニタ３６に表示されるようになる。
【００７７】
こうして、例えば４回撮影用撮像素子６７による撮影が行われると、その度に撮影用撮像素子６７の画像が液晶モニタ３６に表示される。尚、ファインダビューモードに於いては、表示用撮像素子６１は稼働しない。つまり、ファインダビューモードに於いては、表示用撮像素子６１は動作しないので、被写体の色情報を取得することはできない。この場合は、Ｒ、Ｇ、Ｂ情報を標準的な被写体に対応させた数値を固定値で有しており、このデータを使用して補正値△Ｄｆを算出する。また、補正値△Ｄｆそのものを固定値として補正演算を行ってもよい。
【００７８】
次に、図７を参照して、ファインダ４３で観察される画像と液晶モニタ３６に表示される画像について説明する。  
図７（ａ）はフォーカシングスクリーン５６の１つの例を示した図、（ｂ）は液晶モニタ３６の表示例を示した図である。
【００７９】
図７（ａ）に於いて、フォーカシングスクリーン５６の表面には、ＡＦを行う際の基準点としてＡＦターゲットマーク９５が刻印されている。撮影者は、このようなＡＦターゲットマーク９５が設けられたフォーカシングスクリーン５６上に投影された画像を、ファインダ４３を通して観察する。
【００８０】
一方、カメラ本体３０の背面部の液晶モニタ３６には、図７（ｂ）に示されるように、被写体画像が表示される。図７（ｂ）の左側の画像から、時間の経過と共に順次更新されているものとする。ライブビューモード時に於ける液晶モニタ３６の表示画像、すなわちライブビュー画像９６ａ、９６ｂには、それぞれ上述したＡＦターゲットマーク９５の画像（９７ａ、９７ｂ、９７ｃ）も含まれた状態で表示されている。そして、上述したようにファースト（１ｓｔ）レリーズスイッチがオンされて、撮影レンズが合焦状態になると、合焦表示用ＬＥＤ６４が点灯するので、ライブビュー画像９６ｃ上でもそれに対応するＡＦターゲットマーク、例えば９７ａが点灯表示される。
【００８１】
この状態でセカンド（２ｎｄ）レリーズスイッチがオンされると、液晶モニタ３６上には、実際に撮影された撮影用撮像素子６７の画像９６ｄが表示される。そして、所定期間、画像９６ｄが表示された後、合焦マーク９７ａ〜９７ｃが表示されたライブビュー画像９６ｅが、液晶モニタ３６に表示される。尚、実際に撮影された撮影用撮像素子６７の画像９６ｄが液晶モニタ３６に表示される場合は、図示の如く画像の周囲に枠を表示する等、ライブビュー画像と差別化するようにしてもよい。
【００８２】
このように、実際の撮影画像を表示する際は、ＡＦターゲットマークの無い撮影画像を表示するので、ライブビュー画像と容易に区別することができる。
【００８３】
以上のように、第１の実施形態によれば、表示用画像素子の出力によって焦点検出エリア毎に被写体の色成分を抽出し、抽出された焦点検出エリア毎の色成分情報に基づいて検出デフォーカス量を補正するようにしたので、高精度なＡＦ動作を行うことが可能である。
【００８４】
（第２の実施形態）
上述した第１の実施形態では、焦点検出エリア毎に被写体の色成分を抽出して、抽出された焦点検出エリア毎の色成分情報に基づいてデフォーカス量を補正するようにしている。これに対し、本第２の実施形態では、複数の焦点検出エリアを有する場合にも、各焦点検出エリアに於いて光学系の色収差に起因するデフォーカス量の誤差を補正するようにしている。
【００８５】
以下、この第２の実施形態について説明するが、デジタルカメラの基本的な構成については、図１乃至図７に示される第１の実施形態と同じであり、基本的な撮影動作についても同様である。したがって、これらの構成及び動作については、同一の部分には同一の参照番号を付して、その図示及び説明は省略する。
【００８６】
図８は、本発明の第２の実施形態を示すもので、本発明の焦点検出装置が適用されたＡＦセンサユニット７１の概略構成を示す斜視図である。
【００８７】
ＡＦセンサユニット７１は、撮影画面中に設定された複数の焦点検出エリアに対して焦点調整状態を検出するものであり、ＡＦセンサ１０７と、焦点検出光学系１０６とにより構成される。
【００８８】
このＡＦセンサユニット７１は、視野マスク１１０、複数のコンデンサレンズ１１１、絞りマスク１１３、複数組のセパレータレンズ１１４を有する焦点検出光学系１０１と、複数のラインセンサ１１５（図では１１５ａ、１１５ｂ、１１５ｃ）を有するＡＦセンサ１０２と、で主要部が構成される。そして、このＡＦセンサユニット７１の出力は、Ｂμｃｏｍ８０に供給されている。
【００８９】
撮影画面中１０５に設定された複数の焦点検出エリア（例えば、１０６ａ、１０６ｂ、１０６ｃ）に対して焦点調整状態を検出するために、図示されない被写体からの光束を、上記各焦点検出エリア１０６ａ、１０６ｂ、１０６ｃに対応するコンデンサレンズ１１１及びセパレータレンズ１１４で分割し、ラインセンサ１１５に結像させて位相差検出方式による焦点検出を行う。
【００９０】
すなわち、撮影画面中の焦点検出エリアの被写体光は、撮影レンズ１１を通過して、各焦点検出エリアに対応するコンデンサレンズ１１１に入射する。コンデンサレンズ１１１から射出された光は、各焦点検出エリアに一対ずつ配置されたセパレータレンズ１１４を通過する。そして、セパレータレンズ１１４が構成する２つの像は、対応するラインセンサ１１５上に結像する。ＡＦセンサ１０２からは、各ラインセンサ１１５毎の像データが、Ｂμｃｏｍ８０に出力される。
【００９１】
Ｂμｃｏｍ８０では、各ラインセンサ１１５の２つの像の光強度分布から２像間隔Ｌが算出されて、各焦点検出エリア毎にデフォーカス量Ｄｆが演算される。複数の焦点検出エリアは、それぞれ対応する光学系が異なるため、それぞれ異なる色収差による焦点検出誤差を有する。不揮発性メモリ８８には、各焦点検出エリア毎にデフオーカス量Ｄｆと、色収差誤差との対応関係が格納されている。この色収差誤差のデータは、Ｒ、Ｇ、Ｂの各色に対応する３つの値が設定されている。
【００９２】
ＡＦセンサユニット７１による撮影画面内の複数の焦点検出エリアに対応する表示用撮像素子６１の撮像領域上のそれぞれの領域は、製造工程に於いて予め調整され対応付けられている。したがって、表示用撮像素子６１の撮像データのうち、それぞれの焦点検出エリアに対応する部分の画素データに関する色情報のみが取得されればよい。例えば、図９に示されるように、表示用撮像素子６１の撮像領域１２０に於いては、上述した焦点検出エリア１０６ａ〜１０６ｃに対応する領域は１２０ａ〜１２０ｃである。
【００９３】
Ｂμｃｏｍ８０では、色収差誤差を含んだデフォーカス量Ｄｆが、表示用撮像素子６１から取得された各焦点検出エリア毎の色情報と、不揮発性メモリ８８から取得された各焦点検出エリア毎の色収差誤差とに基づいて補正される。次いで、各焦点検出エリア毎に色収差誤差が除去された補正デフォーカス量Ｄｆ′が演算される。
【００９４】
そして、Ｂμｃｏｍ８０では、全焦点検出エリアの補正デフォーカス量データに基づいて、所定の選択アルゴリズムが用いられて補正デフォーカス量が選択される。例えば、最至近選択であれば、最も後ピンの補正デフォーカス量が採用される。そして、Ｂμｃｏｍ８０からＬμｃｏｍ１５へ、選択された補正デフォーカス量Ｄｆ′が送信される。
【００９５】
Ｌμｃｏｍ１５では、補正デフォーカス量Ｄｆ′に基づいてレンズ駆動量データが演算され、レンズ駆動機構１３によって撮影レンズ１１内のフォーカスレンズが駆動される。また、撮影者によって、図示されない操作釦が操作されて複数の焦点検出エリアから特定の焦点検出エリアが選択された場合は、選択された焦点検出エリアについてデフォーカス量の補正が行われるようにすればよい。
【００９６】
このように第２の実施形態によれば、複数の焦点検出エリアを有する場合であっても、各焦点検出エリアにおいて、光学系の色収差に起因するデフォーカス量Ｄｆの誤差を補正することができる。したがって、撮影者が特定の焦点検出エリアを選択する場合であっても、カメラが自動的に焦点検出エリアを選択する場合であっても、高精度なＡＦ動作を行うことが可能である。
【００９７】
以上、本発明の実施形態について説明したが、本発明は上述した実施形態以外にも、本発明の要旨を逸脱しない範囲で種々の変形実施が可能である。
【図面の簡単な説明】
【００９８】
【図１】本発明の第１の実施形態を示すもので、本発明の撮像装置が適用された一眼レフレックスタイプのデジタルカメラの構成を示す外観斜視図である。
【図２】本発明の第１の実施形態に於けるカメラのファインダ光学系の構成を示す斜視図である。
【図３】本発明の第１の実施形態に係るカメラのシステム構成を示すブロック図である。
【図４】（ａ）はＡＦセンサユニット７１内のＡＦセンサ１０２の光電変換素子Ｐ上に被写体からの光束を導く焦点検出光学系１０１の構成を詳細に示した図、（ｂ）はＡＦセンサユニット１２の焦点検出光学系１０１及び撮影レンズ１１の色収差がデフォーカス量に与える影響について説明するための図である。
【図５】第１の実施形態に於いてライブビューモードのカメラの動作を説明するタイミングチャートである。
【図６】第１の実施形態に於いてファインダビューモードのカメラの動作を説明するタイミングチャートである。
【図７】ファインダ４３で観察される画像と液晶モニタ３６に表示される画像について説明するもので、（ａ）はフォーカシングスクリーン５６の１つの例を示した図、（ｂ）は液晶モニタ３６の表示例を示した図である。
【図８】本発明の第２の実施形態を示すもので、本発明の焦点検出装置が適用されたＡＦセンサユニット７１の概略構成を示す斜視図である。
【図９】表示用撮像素子６１の撮像領域１２０に於ける焦点検出エリア１０６ａ〜１０６ｃに対応する領域の例を示した図である。
【符号の説明】
【００９９】
１０…レンズ鏡筒、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…カメラ本体、３１…レリーズ釦、３２…モードダイヤル、３３…パワースイッチレバー、３４…コントロールダイヤル、３６…液晶モニタ、４３…ファィンダ、５０…ファインダ光学系、５１…第１反射ミラー、５２…第２反射ミラー、５３…第３反射ミラー、５４…第４反射ミラー、５６…フォーカシングスクリーン、５７…接眼レンズ６１…表示用撮像素子、６４…合焦表示用ＬＣＤ、６６…シャッタ、６７…撮影用表示素子、７１…ＡＦセンサユニット、７２…ＡＦセンサ駆動回路、７３…ミラー駆動機構、７５…シャッタチャージ機構、７６…シャッタ制御回路、８１…インターフェイス回路、８２…画像処理コントローラ、８３…ＳＤＲＡＭ、８４…ＦｌａｓｈＲｏｍ、８５…不揮発性メモリ（ＥＥＰＲＯＭ）、９０…動作表示用ＬＣＤ、９１…カメラ操作スイッチ（ＳＷ）、９２…電源回路、１０１…焦点検出光学系、１０２…ＡＦセンサ。
【図１】
2007156249.tif 000003
【図２】
2007156249.tif 000004
【図３】
2007156249.tif 000005
【図４】
2007156249.tif 000006
【図５】
2007156249.tif 000007
【図６】
2007156249.tif 000008
【図７】
2007156249.tif 000009
【図８】
2007156249.tif 000010
【図９】
2007156249.tif 000011